(57)【要約】【課題】狭いピッチで配線を接続でき、かつ額縁部を狭くすることが可能な表示装置を実現する。【解決手段】表示装置（１００）は、表示部（１１０）外縁の第一接続部（１２０）に接続されている基板（１３０）を有する。基板（１３０）の第一面の第一配線（１４０）は、第二面の第二配線（１５０）よりも少なく配置されている。隣り合うスルーホール（１４２）は、当該配線の延出方向において異なる位置に配置されている。【選択図】図１
2020115173.tif 000002
【特許請求の範囲】
【請求項１】
画像を表示するための表示部と、前記表示部の外縁に配置されている第一接続部と、前記第一接続部に接続されている基板と、を有する表示装置であって、
前記基板は、
第一面およびその反対側の第二面と、
前記基板の端部に位置し、複数のスルーホールを有するスルーホール領域と、
前記第二面の平面方向における前記スルーホール領域の内側に配置され、前記第一接続部と接続されている第二接続部と、
前記スルーホールのそれぞれに対応して配置され、前記第一面において前記スルーホール領域まで延出し、前記スルーホールを介して前記第二面側において前記第二接続部まで延出している複数の第一配線と、
前記第二面において前記第二接続部まで延出している複数の第二配線と、
を有し、
前記第一配線は、前記第二配線よりも少なく、
少なくとも互いに隣り合う前記第一配線に対応する前記スルーホールは、前記第一面における前記第一配線の延出方向において異なる位置に配置されている、
表示装置。
【請求項２】
前記第一配線を前記第二配線と同数配置した場合に対する、実際に配置されている前記第一配線の数の差分と、実際に配置されている前記第二配線の数の増分とが同じである、請求項１に記載の表示装置。
【請求項３】
前記スルーホールは、二段以上の段数で、前記延出方向において互い違いの位置に配置されている、請求項１または２に記載の表示装置。
【請求項４】
前記表示部は、フルハイビジョン以上の高解像度を有する、請求項１〜３のいずれか一項に記載の表示装置。
【発明の詳細な説明】
【技術分野】
【０００１】
本発明は、表示装置に関する。
【背景技術】
【０００２】
表示装置は、現在、スマートフォンなどの携帯機器からテレビジョンなどの家庭用電化製品まで幅広く利用されている。表示装置には、高い画質の画像を表示することが要求されている。そのため、表示装置の表示パネルパネルに接続する配線の本数が増えて、当該配線の接続では狭いピッチでの接続が必要になっている。また、表示装置は、一般に、表示部の周縁に、画像の表示に寄与しない額縁部を有している。意匠性などの観点から、表示装置には、当該額縁部をより狭くすることが求められている。
【０００３】
狭いピッチでの配線の接続については、多段状に配置された端子が互いに短絡しないように、１列目と２列目で端子の長さおよび幅を変更することが知られている（例えば、特許文献１参照）。額縁部を狭くすることについては、空き領域が設けられたドライバＩＣを表示パネルに実装する際に、空き領域から引き出された配線と表示パネルから引き出された配線とを重ねることが知られている（例えば、特許文献２参照）。
【先行技術文献】
【特許文献】
【０００４】
【特許文献１】特開２００８−２８７２７１号公報（２００８年１１月２７日公開）
【特許文献１】特開２０１４−１５７２１９号公報（２０１４年８月２８日公開）
【発明の概要】
【発明が解決しようとする課題】
【０００５】
しかしながら、上述のような従来技術には、狭いピッチでの配線の接続と額縁部を狭くすることとの両方を実現する観点から検討の余地が残されている。
【０００６】
本発明の一態様は、狭いピッチで配線を接続でき、かつ額縁部を狭くすることが可能な表示装置を実現することを目的とする。
【課題を解決するための手段】
【０００７】
上記の課題を解決するために、本発明の一態様に係る表示装置は、画像を表示するための表示部と、表示部の外縁に配置されている第一接続部と、第一接続部に接続されている基板とを有する。当該基板は、第一面およびその反対側の第二面と、基板の端部に位置し、複数のスルーホールを有するスルーホール領域と、第二面の平面方向におけるスルーホール領域の内側に配置され、第一接続部と接続されている第二接続部と、スルーホールのそれぞれに対応して配置され、第一面においてスルーホール領域まで延出し、スルーホールを介して第二面側において第二接続部まで延出している複数の第一配線と、第二面において第二接続部まで延出している複数の第二配線とを有する。第一配線は、第二配線よりも少ない。そして、少なくとも互いに隣り合う第一配線に対応するスルーホールは、第一面における第一配線の延出方向において異なる位置に配置されている。
【発明の効果】
【０００８】
本発明の一態様によれば、狭いピッチで配線を接続でき、かつ額縁部を狭くすることが可能な表示装置を実現することができる。
【図面の簡単な説明】
【０００９】
【図１】本発明の実施形態１に係る表示装置の要部の構成を模式的に示す図である。
【図２】図１に示される表示装置の、Ａ−Ａ線で切断した断面を模式的に示す図である。
【図３】比較用の表示装置の要部の構成を模式的に示す図である。
【図４】（ａ）は、比較用の表示装置における基板の端部の構成を模式的に示す図であり、（ｂ）は、実施形態１に係る表示装置における基板の端部の構成を模式的に示す図である。
【図５】（ａ）は、比較用の表示装置における基板の端部での配線およびスルーホールの位置関係を模式的に示す図であり、（ｂ）は、実施形態１に係る表示装置における基板の端部での配線およびスルーホールの位置関係を模式的に示す図である。
【図６】本発明の実施形態２に係る表示装置の要部の構成を模式的に示す図である。
【図７】本発明の実施形態３に係る表示装置の要部の構成を模式的に示す図である。
【発明を実施するための形態】
【００１０】
〔実施形態１〕
（全体構成）
以下、本発明の一実施形態について、詳細に説明する。本実施形態は、平面状の表示装置の基板にフレキシブル基板を接続する製品の、接続部の構造に関する。図１は、本発明の実施形態１に係る表示装置の要部の構成を模式的に示す図である。図１に示されるように、表示装置１００は、画像を表示するための表示部１１０と、表示部１１０の外縁に配置されている第一接続部１２０と、第一接続部１２０に接続されている基板１３０とを有する。
【００１１】
表示部１１０は、画像を表示するための平面状の装置であり、例えば、液晶表示パネル、プラズマディスプレイまたは有機ＥＬパネルである。表示部１１０は、高画質の画像を表示する観点から、フルハイビジョンである。表示部１１０は、横１９２０ピクセル、縦１０８０ピクセルの画素を有する。このような表示部１１０は、「フルＨＤ（High Definition）」とも「フルＨＤ機種」とも言われる。
【００１２】
第一接続部１２０は、基板の配線と電気的に接続するための部分である。第一接続部１２０は、表示部１１０の外縁に配置されるが、周設されていてもよいし、周設されていなくてもよい。第一接続部１２０の表面には、例えば、表示部１１０の構成に応じた接続端子が配置されている。当該接続端子は、例えば、表示部１１０の画素が赤、緑、青（ＲＧＢ）の副画素で構成される場合では、第一接続部１２０における表示部１１０の短辺から延出する部分には、少なくとも１０８０ピクセルの三倍の数の接続端子が配置される。
【００１３】
第一接続部１２０は、公知の技術によって基板１３０と電気的に接続されている。たとえば、第一接続部１２０は、異方性導電膜（ＡＣＦ）１６０を介して基板１３０と電気的に接続されている。ＡＣＦ１６０は、第一接続部１２０における複数の接続端子のそれぞれと、後述する基板１３０の第二接続部１３２に配置されている複数の第一配線１４０、第二配線１５０のそれぞれとを電気的に接続し、かつ基板１３０を第一接続部１２０に接着している。
【００１４】
（基板の構成）
図２は、表示装置１００を図１に示すＡ−Ａ線で切断した断面を模式的に示す図である。基板１３０は、可撓性を有している。基板１３０は、例えばＣＯＦ（Ｃｈｉｐ  Ｏｎ  Ｆｉｌｍ）である。基板１３０は、一方の面である第一面およびその反対側（裏面）の第二面を有する。基板１３０は、その積層方向において、ポリイミド製の可撓性シート１３５、その一方の面に複数の第一配線１４０、他方の面に複数の第二配線１５０、第一配線１４０を覆う絶縁膜１３６、および第二配線１５０を覆う絶縁膜１３７、１３８、を有している。ただし、製品の信頼性が実質的に確保される範囲において、これらの絶縁膜の一部または全部を省略することが可能である。第一配線１４０および第二配線１５０は、いずれも、導電性の材料で形成されており、例えば銅箔である。
【００１５】
また、基板１３０は、その平面方向において、本体１３１、その端部側に第二接続部１３２、および第二接続部１３２のさらに端部側にスルーホール領域１３３を有している。本体１３１は、例えば、積層方向において第一面側の絶縁膜１３６と第二面側の絶縁膜１３７とが重なる部分である。スルーホール領域１３３は、基板１３０の端部に位置し、複数のスルーホール１４２を有している。スルーホール領域１３３は、例えば、積層方向において基板１３０の端部における第二面側の絶縁膜１３８と重なる部分である。第二接続部１３２は、第二面の平面方向におけるスルーホール領域の内側に配置されている。第二接続部１３２は、例えば、積層方向において、第二面側の絶縁膜１３７と絶縁膜１３８との両方が配置されていない部分である。
【００１６】
第一配線１４０は、スルーホール１４２のそれぞれに対応して配置されている。すなわち、第一配線１４０は、スルーホール１４２と実質的に同数配置されており、一対一で対応している。第一配線１４０は、第一面側において、本体１３１からスルーホール１４２まで延出している。第一配線１４０におけるスルーホール１４２の周囲には、スルーホール１４２の縁取り部１４１が形成されている。縁取り部１４１の平面形状は、スルーホール１４２を囲む形状であればよいが、たとえば略正方形である。
【００１７】
第一配線１４０は、第二面側において第二接続部１３２まで延出している。たとえば、第一配線１４０は、第二面側において、スルーホール１４２の縁取り部１４３を有し、この縁取り部１４３から第二接続部１３２まで延出している。スルーホール１４２には導電材料が収容されている。このように、第一配線１４０は、第一面側でスルーホール領域１３３まで延出し、スルーホール１４２を介して第二面側において第二接続部１３２まで延出している。
【００１８】
第二配線１５０は、基板１３０の第二面において、本体１３１から第二接続部１３２まで延出している。第一配線１４０および第二配線１５０は、いずれも、基板１３０における第二接続部１３２以外の部分では、絶縁膜１３６〜１３８のいずれかに覆われており、第二接続部１３２において、基板１３０の第二面側に露出している。
【００１９】
このように、表示装置１００では、フレキシブルな基板１３０と第一接続部１２０とをＡＣＦ１６０で接続している。基板１３０では、配線が表裏の二段に分かれて配置されており、表面（第一面）側の第一配線１４０は、スルーホール１４２を介して裏面（第二面）側の配線によって第二接続部１３２まで導通可能に繋げられている。
【００２０】
表示装置１００では、第一配線１４０は、第二配線１５０よりも少なく配置されている。たとえば、第一配線１４０の数は、第二配線１５０の数の半分である。
【００２１】
また、表示装置１００では、少なくとも互いに隣り合う第一配線１４０に対応するスルーホール１４２は、第一面における第一配線１４０の延出方向において異なる位置に配置されている。より具体的には、スルーホール１４２は、二段の段数で、当該延出方向において互い違いの位置に配置されている。このような配置を「千鳥配置」とも言う。
【００２２】
上記のように、スルーホール１４２には縁取り部１４１が形成されることから、第一配線１４０よりも幅広な一定の面積が必要になる。このため、狭いピッチで第一配線１４０を配置する場合には、スルーホール１４２を、第一配線１４０の延出方向（図中の矢印Ｙ方向）において異なる位置に配置する必要がある。通常、スルーホール１４２の位置は、適当な間隔を置いて当該延出方向において揃えられる。よって、スルーホール１４２は、延出方向において多段に配置される。
【００２３】
（作用効果の説明）
表示装置１００では、スルーホール１４２に接続される第一配線１４０を、スルーホール１４２には接続されない第二配線１５０よりも少なく配置する。そのため、スルーホール１４２の数が少なくなり、スルーホール１４２の段数を少なくすることが可能となる。その結果、第一接続部１２０のＹ方向における寸法を小さくすることが可能となり、表示装置１００における額縁部をより狭くすることが可能となる。
【００２４】
以下、表示装置１００における上記の利点について、表示装置１００を、第一配線を第二配線と同数配置した場合の比較用の表示装置と比べることにより、説明する。図３は、比較用の表示装置の要部の構成を模式的に示す図である。
【００２５】
（比較用表示装置の構成）
図３に示されるように、比較用の表示装置５００は、基板５３０以外は前述の表示装置１００と同様の構成を有している。基板５３０は、第一配線の数、第二配線の数が異なり、スルーホールの段数がより多い以外は、前述の表示装置１００における基板１３０と同様の構成を有している。
【００２６】
基板５３０は、第一配線５４０および第二配線５５０を、それぞれ同じ数だけ有している。基板５３０におけるスルーホール５４２の配置は、二段ではなく四段の千鳥配置となっている。
【００２７】
なお、前述したように、本実施形態における表示装置１００は、第一配線１４０の数は、第二配線１５０の数の半分（第一配線１４０の数：第二配線１５０の数が１：２）であるが、第一配線と第二配線の総数は、表示装置１００、５００、ともに同じとする。すなわち、表示装置５００における第一配線の数に対する表示装置１００の第一配線の数の差分と、表示装置５００における第二配線の数に対する表示装置１００の第二配線の数の増分とは同じである。
【００２８】
比較用の表示装置５００は、第一配線および第二配線をそれぞれ同数有しており、第一配線については、スルーホールにより大きな面積を要することから、結果的に、表示装置５００における額縁部を狭くすることが妨げられる。以下、図面を用いてより詳しく説明する。図４（ａ）は、比較用の表示装置における基板の端部の構成を模式的に示す図である。また、図５（ａ）は、比較用の表示装置における基板の端部での配線およびスルーホールの位置関係を模式的に示す図である。
【００２９】
なお、図中、矢印Ｙ１は、Ｙ方向（第一配線の延出方向）における第一接続部１２０の長さを表している。Ｙ２は、Ｙ方向におけるスルーホール領域の長さを表している。Ｙ３は、スルーホール領域に形成されたスルーホールのＹ方向における設置長さを表している。Ｙ３は、段状に配置されているスルーホールの段のＹ方向における長さとも言える。
【００３０】
（比較用表示装置の要部構成における具体的な説明）
表示装置１００、５００における横方向の第一接続部１２０における接続端子数は、３２９０本とする。その内訳は、横方向のドット数１０８０に対してＲＧＢの各色に対応する接続端子が３２４０本（１０８０×３）、ゲート駆動用の配線が５０本、とする。基板における第一配線および第二配線も、接続端子数と同数配置されている、とする。
【００３１】
表示装置５００において、基板５３０における第一配線５４０の数と第二配線５５０の数とは同じである。よって、表示装置５００における第一配線５４０および第二配線５５０の数はそれぞれ１６４５本（３２９０本÷２）となる。
【００３２】
基板は、前述したようにＣＯＦであり、その幅は規格で決まっている。基板５３０の幅は、最大で約６３ｍｍである。このため、第一配線５４０および第二配線５５０のピッチは、最大で３８．３μｍ（６３ｍｍ÷１６４５本＝０．０３８３ｍｍ）となる。
【００３３】
一方、スルーホールについては、その設計ルールにより、スルーホールおよび第一配線に係る最小のピッチが決められている。当該設計ルールの一例を表１に示す。また、前述の条件による当該ルールに基づくスルーホールの段数と各段数における第一配線の最小ピッチを表２に示す。
【００３４】
【表１】
2020115173.tif 000003
【００３５】
【表２】
2020115173.tif 000004
【００３６】
図５（ａ）に示されるように、表１中のＡは、スルーホールのサイズであり、縁取り部の寸法を示している。Ｂは、スルーホール間のスペースのサイズであり、Ｙ方向におけるスルーホール間の隙間の長さを示している。Ｃは、スルーホールと第一配線との間のスペースのサイズであり、第一配線が隣り合う方向におけるスルーホールの第一配線との隙間の長さを示している。Ｄは、第一配線の幅を示している。Ｅは、第一配線間のスペースであり、隣り合う第一配線間の隙間の長さを示している。
【００３７】
以上より、表示装置５００では、スルーホールの段数は、四段以上となり、その場合の長さＹ３は、最短で３４５μｍである。
【００３８】
（本実施形態の表示装置の要部構成における具体的な説明）
本実施形態における表示装置１００は、前述したように、第一配線の数を第二配線の数の半分となるように配線を配置している。よって、表示装置１００における第一配線のピッチは、表示装置５００におけるそれに比べて長くなり、スルーホールの段数は二段とより少なくなる。よって、表示装置１００において、表示装置５００に比べて寸法Ｙ３が小さくなり、寸法Ｙ２をより小さくすることが可能となり、よって寸法Ｙ１をより小さくすることが可能となる。このように、表示装置１００では、表示装置５００に比べて、第一接続部１２０の寸法Ｙ１が小さくすることができることから、表示部１１０周囲の額縁部をより狭くすることが可能となる。以下、図面を用いてより詳しく説明する。
【００３９】
図４（ｂ）は、実施形態１に係る表示装置における基板の端部の構成を模式的に示す図である。図５（ｂ）は、実施形態１に係る表示装置における基板の端部での配線およびスルーホールの位置関係を模式的に示す図である。
【００４０】
表示装置１００では、前述したように、第一配線１４０の数は第二配線１５０の半分（１：２）である。すなわち、第一配線１４０の数は１０９７本であり、第二配線１５０の数は２１９３本である。よって、表示装置１００では、第一配線１４０のピッチは、５７．４μｍ（６３ｍｍ÷１０９７本＝０．０５７４ｍｍ）となる。表２より、スルーホールの段数は、二段とすることができ、その場合の長さＹ３は、最短で１６５μｍとなる。よって、表示装置１００では、表示装置５００に比べて、スルーホールの段の寸法Ｙ３を１８０μｍＹ短くすることができる。なお、この場合の第二配線１５０のピッチは、２８．７μｍ（６３ｍｍ／２１９３本＝０．０２８７ｍｍ）である。これは、第二配線１５０を十分に実装可能なピッチである。
【００４１】
以上の説明から明らかなように、本実施形態に係る表示装置１００は、第一配線および第二配線を同数有する表示装置５００に比べて、Ｙ方向におけるスルーホール領域の寸法Ｙ２をより小さくすることが可能である。このため、表示装置１００の第一接続部１２０のＹ方向における寸法Ｙ１もより小さくすることが可能である。よって、表示装置１００は、表示装置５００に対して、寸法Ｙ３をより小さくすることが可能な範囲において、表示部１１０の周囲の額縁部をより狭くすることができる。
【００４２】
〔実施形態２〕
本発明の他の実施形態について、以下に説明する。なお、説明の便宜上、上記実施形態にて説明した部材と同じ機能を有する部材については、同じ符号を付記し、その説明を繰り返さない。本実施形態では、前述した実施形態における構成に対して、実現可能な範囲において形状および寸法について適宜に調整されていてよい。図６は、本発明の実施形態２に係る表示装置の要部の構成を模式的に示す図である。
【００４３】
図６に示されるように、本実施形態における表示装置２００は、基板１３０に代えて基板２３０を有する以外は、前述した表示装置１００と同様の構成を有している。基板２３０は、第一配線２４０の数が第二配線２５０の数の１／３（１：３）であり、スルーホール２４２の段数が一段となっている以外は、前述した表示装置１００の基板１３０と同様の構成を有している。
【００４４】
表示装置２００では、スルーホールの段数が一段であることから、表示装置５００に比べて、寸法Ｙ３をより一層小さくすることが可能となり、その結果、第一接続部１２０におけるＹ方向の寸法Ｙ１をより一層小さくすることが可能となる。よって、表示装置２００は、表示装置５００に対して、寸法Ｙ３をより小さくすることが可能な範囲において、表示部１１０の周囲の額縁部をより一層狭くすることができる。
【００４５】
一方で、表示装置２００では、第二配線２５０のピッチがより一層狭くなる。このため、表示装置２００では、第二配線２５０の幅、ピッチ、および第一接続部１２０における接続端子の数などの様々な設計事項について適宜に検討してよい。
【００４６】
〔実施形態３〕
本発明の他の実施形態について、以下に説明する。なお、説明の便宜上、上記実施形態にて説明した部材と同じ機能を有する部材については、同じ符号を付記し、その説明を繰り返さない。本実施形態では、前述した実施形態における構成に対して、実現可能な範囲において形状および寸法について適宜に調整されていてよい。図７は、本発明の実施形態３に係る表示装置の要部の構成を模式的に示す図である。
【００４７】
図７に示されるように、本実施形態における表示装置３００は、基板１３０に代えて基板３３０を有する以外は、前述した表示装置１００と同様の構成を有している。基板３３０は、第一配線３４０の数が第二配線３５０の数の２／３（２：３）である以外は、前述した表示装置１００の基板１３０と同様の構成を有している。基板３３０におけるスルーホール３４２の段数は、基板１３０のそれと同じく二段である。
【００４８】
表示装置３００では、表示装置１００に比べて、第一配線３４０の数が多い。よって、表示装置３００は、表示装置１００と同じ効果に加えて、第一配線３４０の数をあまり減らすことができない場合に有用である。
【００４９】
〔変形例〕
前述した実施形態では、明確に説明する観点から、第一配線および第二配線の総数を第一接続部における接続端子数と同じ、としたが、当該配線の総数は、本実施形態における効果が得られる範囲において、当該接続端子の数と異なっていてもよい。たとえば、基板における配線または表示部側の接続端子の一部は、接続に供されなくてもよい。
【００５０】
また、表示装置５００との対比を明確にする観点から、前述した実施形態では、表示装置５００に対して、第一配線の数の差分と第二配線の増分とを同じ、としたが、当該差分と増分は、本実施形態における効果が得られる範囲において、異なっていてもよい。たとえば、第一配線または第二配線を余分に設けてもよい。
【００５１】
また、前述した実施形態において、複数の段数で配置されるスルーホールの配置は規則的な千鳥配置とした。このような規則的な配置は、例えば基板の生産性の観点から有用であるが、本実施形態における効果が得られる範囲において、複数の段数で配置されるスルーホールの配置は、千鳥配置とは異なる形態の配置であってもよい。たとえば、複数段で配置される場合のスルーホールの配置は、Ｙ方向において不規則に互い違な配置であってもよい。
【００５２】
また、前述した実施形態では、表示部１１０をフルハイビジョン（フルＨＤ）としたが、本実施形態における効果が得られる範囲において、異なる仕様の表示部であってもよい。本発明の実施形態は、フルハイビジョンの表示部１１０のようにより高密度の接続端子を有する装置に基板を接続する形態において、より有用である。たとえば、ＷＱＨＤ（Wide Quad High Definition）または４Ｋ２Ｋなどの高解像度を有する表示部であって、ＬＴＰＳ（Low Temperature Poly Silicon）技術を使用して、接続端子１本に対して表示部の画素（例えばＲ／Ｇ／Ｂ）の二以上を駆動する表示部を有する表示装置においても、前述した本発明の実施形態は有用である。
【００５３】
〔まとめ〕
本発明の態様１に係る表示装置（１００、２００、３００）は、画像を表示するための表示部（１１０）と、表示部の外縁に配置されている第一接続部（１２０）と、第一接続部に接続されている基板（１３０）とを有する。当該基板は、第一面およびその反対側の第二面と、基板の端部に位置し、複数のスルーホール（１４２、２４２、３４２）を有するスルーホール領域（１３３）と、第二面の平面方向におけるスルーホール領域の内側に配置され、第一接続部と接続されている第二接続部（１３２）と、スルーホールのそれぞれに対応して配置され、第一面においてスルーホール領域まで延出し、スルーホールを介して第二面側において第二接続部まで延出している複数の第一配線（１４０、２４０、３４０）と、第二面において第二接続部まで延出している複数の第二配線（１５０、２５０、３５０）とを有する。第一配線は、第二配線よりも少ない。そして、少なくとも互いに隣り合う第一配線に対応するスルーホールは、第一面における第一配線の延出方向において異なる位置に配置されている。
【００５４】
上記の構成によれば、第一配線のピッチが広くなる一方で第二配線のピッチが狭くなり、かつ第一配線と第二配線を実質同数配置する場合に比べてスルーホールの段数を少なくすることが可能となる。よって、表示装置において、狭いピッチで配線を接続でき、かつ額縁部を狭くすることができる。
【００５５】
本発明の態様２に係る表示装置は、上記態様１において、第一配線を第二配線と同数配置した場合に対する、実際に配置されている第一配線の数の差分と、実際に配置されている第二配線の数の増分とが同じであってもよい。
【００５６】
上記の構成によれば、第一配線と第二配線とを実質同数配置している基板を有する表示装置に比べて、基板の配線の数および接続端子の数の一方または両方が同じであってもスルーホールの段数を少なくすることができ、従来における所期の電気的接続を実現しつつ額縁部を狭くすることができる。
【００５７】
本発明の態様３に係る表示装置は、上記態様１または２において、スルーホールが二段以上の段数で、第一配線の延出方向において互い違いの位置に配置されていてもよい。
【００５８】
上記の構成によれば、隣り合う方向におけるスルーホールの配置を最密化することが可能となり、額縁部をより狭くする範囲においてスルーホールおよび第一配線を最密に配置することができる。
【００５９】
本発明の態様４に係る表示装置は、上記態様１〜３のいずれか一つに態様において、表示部がフルハイビジョン以上の高解像度を有していてもよい。
【００６０】
上記の構成によれば、高画質の表示装置において従来のものより額縁部をより狭くすることができる。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６２】
１００、２００、３００、５００  表示装置
１１０  表示部
１２０  第一接続部
１３０、２３０、３３０、５３０  基板
１３１  本体
１３２  第二接続部
１３３  スルーホール領域
１３５  可撓性シート
１３６、１３７、１３８  絶縁膜
１４０、２４０、３４０、５４０  第一配線
１４１、２４１、３４１、５４１  縁取り部
１４２、２４２、３４２、５４２  スルーホール
１５０、２５０、３５０、５５０  第二配線
１６０  異方性導電膜（ＡＣＦ）
【図１】
2020115173.tif 000005
【図２】
2020115173.tif 000006
【図３】
2020115173.tif 000007
【図４】
2020115173.tif 000008
【図５】
2020115173.tif 000009
【図６】
2020115173.tif 000010
【図７】
2020115173.tif 000011